(57)【要約】【課題】比較的単純な構成で且つワンタッチで噴霧ヘッドを押し下げた状態に固定することが可能なエアゾール容器用残留ガス抜き装置を提供する。【解決手段】本発明のエアゾール容器用残留ガス抜き装置１は、エアゾール容器９の肩部９ａに冠着したエアゾールキャップ２とステム１０に嵌着するエアゾールボタン４とから成り、エアゾールキャップ２の天板部７が、噴霧ガス案内凹部５と、指先案内凹部７ａと、ボタン押圧片３と、ボタン押圧片３の両隅部３ｃを係止可能なスロット部６とを具備して成るので、残留ガス成分をステム１０を経て噴霧孔４ａから噴霧ガス案内凹部５近傍の外気に略ワンタッチで排出させることを可能にする。【選択図】  図１
2005306451.tif 000002
【特許請求の範囲】
【請求項１】
エアゾール容器の肩部に冠着したエアゾールキャップと、前記エアゾールキャップの天
板部を前記エアゾール容器の軸線に沿って開口して成る昇降案内周壁部内に上下動可能に
挿着されて前記エアゾール容器のステムに嵌着するエアゾールボタンと、を具備するエア
ゾール容器用残留ガス抜き装置において、
前記エアゾールキャップが、
前記天板部に凹みを形成するとともにガス噴霧方向に位置する前記天板部を前記エアゾ
ールボタンにおける噴霧孔からの噴霧を許容するように他の周辺に対して段差を付けた前
記昇降案内周壁部の開口部の周辺から連続して下降する噴霧ガス案内凹部と、
前記噴霧ガス案内凹部の反対側に位置して前記天板部を前記開口部の周辺から連続して
下降する指先案内凹部と、
前記左右の天板部と略同等の輪郭を有して凹みの一部を形成され、且つ前記噴霧ガス案
内凹部の一部を画成する前記開口部寄りの前記左右の天板部との隣接個所に折り曲げ部を
介して該左右の天板部に回動可能に支持されるボタン押圧片と、
前記折り曲げ部を中心に前記指先案内凹部の方向に回動せしめた前記ボタン押圧片にお
ける外周縁部の両隅部を係止可能なように前記指先案内凹部寄りで、且つ前記開口部近傍
の前記左右の天板部に透設した両スロット部と、を具備して成ることを特徴とするエアゾ
ール容器用残留ガス抜き装置。
【発明の詳細な説明】
【技術分野】
【０００１】
本発明は、エアゾール容器内に残留するガス成分を除去するための残留ガス抜き装置に
関し、特に、エアゾール容器に装着された状態で噴霧ヘッドの押し下げを維持して残留ガ
ス成分の除去を可能にするエアゾール容器用残留ガス抜き装置に関する。
【背景技術】
【０００２】
従来のエアゾール容器に装着された状態で噴霧ヘッドの押し下げを維持して残留ガス成分
の除去を可能にするエアゾール容器用残留ガス抜き装置は、エアゾール容器に装着した肩
カバーを前記エアゾール容器の軸線を中心に旋回させて噴霧ヘッドを押し下げた状態に固
定することによって残留ガス成分の除去を行っていた。（例えば、特許文献１参照）
あるいは、ボタン部に付いている突起を折り曲げてマウンテンキャップ内部に係止させる
ことによって前記ボタン部を押し下げた状態に固定することによって残留ガス成分の除去
を行っていた。（例えば、特許文献２参照）
【０００３】
【特許文献１】特開２００３−１６５５８８公報
【特許文献２】特開２００３−１２０５７公報
【発明の開示】
【発明が解決しようとする課題】
【０００４】
しかしながら、上記従来のエアゾール容器用残留ガス抜き装置は、構成部品点数が多く
且つ操作に迅速性を欠く欠点があった。
本発明は、上述した従来技術の問題点を解消し、比較的単純な構成で且つワンタッチで噴霧ヘッドを押し下げた状態に固定することが可能なエアゾール容器用残留ガス抜き装置を提供することを目的とするものである。
【課題を解決するための手段】
【０００５】
本発明のエアゾール容器用残留ガス抜き装置は、エアゾール容器の肩部に冠着したエア
ゾールキャップと、前記エアゾールキャップの天板部を前記エアゾール容器の軸線に沿っ
て開口して成る昇降案内周壁部内に上下動可能に挿着されて前記エアゾール容器のステム
に嵌着するエアゾールボタンと、を具備するエアゾール容器用残留ガス抜き装置において
、
前記エアゾールキャップが、
前記天板部に凹みを形成するとともにガス噴霧方向に位置する前記天板部を前記エアゾ
ールボタンにおける噴霧孔からの噴霧を許容するように他の周辺に対して段差を付けた前
記昇降案内周壁部の開口部の周辺から連続して下降する噴霧ガス案内凹部と、
前記噴霧ガス案内凹部の反対側に位置して前記天板部を前記開口部の周辺から連続して
下降する指先案内凹部と、
前記左右の天板部と略同等の輪郭を有して凹みの一部を形成され、且つ前記噴霧ガス案
内凹部の一部を画成する前記開口部寄りの前記左右の天板部との隣接個所に折り曲げ部を
介して該左右の天板部に回動可能に支持されるボタン押圧片と、
前記折り曲げ部を中心に前記指先案内凹部の方向に回動せしめた前記ボタン押圧片にお
ける外周縁部の両隅部を係止可能なように前記指先案内凹部寄りで、且つ前記開口部近傍
の前記左右の天板部に透設した両スロット部と、を具備して成るものである。
【０００６】
このように構成される本発明のエアゾール容器用残留ガス抜き装置は、簡単な構造の前
記エアゾールキャップと前記エアゾールボタンから成り、更に前記ボタン押圧片が、前記
折り曲げ部を中心に前記指先案内凹部の方向に回動されることによって前記エアゾールボ
タンを押し下げると共に該エアゾールボタンの下降限までの回動過程で前記外周縁部の前
記両隅部が前記両スロット部中に一時的に変形しながら圧入されて該両スロット部に係止
されるので、速やかに前記エアゾールボタンの押し下げ及び下降限での固定が可能となる
。
【発明の効果】
【０００７】
本発明のエアゾール容器用残留ガス抜き装置によれば、簡単な構造の前記エアゾールキ
ャップと前記エアゾールボタンから成るので製作及び取り付けが廉価となり、更に前記ボ
タン押圧片が、前記折り曲げ部を中心に前記指先案内凹部の方向に回動されることによっ
て前記エアゾールボタンを押し下げると共に該エアゾールボタンの下降限までの回動過程
で前記外周縁部の前記両隅部が前記両スロット部中に一時的に変形しながら圧入されて該
両スロット部に係止されるので、速やかに前記エアゾールボタンの押し下げ及び下降限で
の固定を可能にし、その結果、前記残留ガス成分を前記ステムを経て前記噴霧孔から前記
噴霧ガス案内凹部近傍の外気に略ワンタッチで排出させるエアゾール容器用残留ガス抜き
装置を提供することができる。
【発明を実施するための最良の形態】
【０００８】
本発明装置の実施の形態について添付した図面に基づき以下に詳述する。
図１は、本発明に係るエアゾール容器用残留ガス抜き装置の非噴霧状態を示す斜視図、
図２は図１の噴霧孔から噴霧ガス案内凹部近傍が含まれる正面図、図３は図１の側面を示
す縦断面図、図４は図１の平面図である。
図１乃至図４において、本発明に係るエアゾール容器用残留ガス抜き装置１の要部構造
は、エアゾール容器９の肩部９ａに冠着したエアゾールキャップ２と、該エアゾールキャ
ップ２の天板部７を前記エアゾール容器９の軸線Ｃに沿って開口して成る昇降案内周壁部
８内に上下動可能に挿着されて前記エアゾール容器９のステム１０に嵌着するエアゾール
ボタン４とに大別される。
なお、前記エアゾールキャップ２と前記エアゾールボタン４は夫々プラスチック成形部
材から成るが、このプラスチック成形部材に限らずプラスチック成形部材及び又は金属部
材であっても良い。
【０００９】
前記エアゾールキャップ２は、天板部７に凹みを形成するとともにガス噴霧方向に位置
する前記天板部７を前記エアゾールボタン４の後述する噴霧孔４ａからの噴霧を許容する
ように他の周辺に対して段差を付けた前記昇降案内周壁部８の開口部８ａの周辺から連続
して下降する噴霧ガス案内凹部５と、その反対側に位置する前記天板部７を前記開口部８
ａの周辺から連続して下降する指先案内凹部７ａと、前記左右の天板部７と略同等の輪郭
を有して凹みの一部を形成され且つ前記噴霧ガス案内凹部５の一部を画成する前記開口部
８ａ寄りの前記左右の天板部７との隣接個所に折り曲げ部３ａを介して該左右の天板部７
に回動可能に支持され且つ前記折り曲げ部３ａの略反対側の前記左右の天板部７との隣接
個所で連結部３ｄによって常時仮止めされるボタン押圧片３と、更に前記折り曲げ部３ａ
を中心に前記指先案内凹部７ａの方向（矢印Ａ方向）に回動せしめた前記ボタン押圧片３
とを具備して成る。
【００１０】
一方、前記エアゾールボタン４は、前記エアゾール容器９の前記軸線Ｃに沿って前記ステ
ム１０に嵌着するガス流路４ｂを透設した略四角柱状躯体から成り、更に前記エアゾール
ボタン４は、上面が前記噴霧ガス案内凹部５寄りの端縁から前記指先案内凹部７ａ寄りの
端縁に向けて若干下降する指先押圧用傾斜面に形成される一方、前記噴霧ガス案内凹部５
に臨む正面に前記ガス流路４ｂに連通する噴霧孔４ａが透設されて成る。なお、前記エア
ゾールボタン４の上昇限は、該エアゾールボタン４と前記昇降案内周壁部８との各摺動側
面に対設した上下動規制溝と突起（何れも図示せず）との係止作用によって所定の高さに
規制される一方、前記エアゾールボタン４の上昇限は、前記昇降案内周壁部８の下方端と
前記ステム１０の基部周辺との当接によって規制される。
【００１１】
以上、記述したように構成される本発明に係るエアゾール容器用残留ガス抜き装置１の作
用効果を図５及び図６に基づいて以下に説明する。図５は本発明に係るエアゾール容器用
残留ガス抜き装置の残留ガス成分排出作動状態を示す側面の縦断面図、図６は図５の平面
図である。
【００１２】
本発明に係るエアゾール容器用残留ガス抜き装置１を図３の非噴霧状態から残留ガス成分
排出作動状態に移行させる場合、先ず前記ボタン押圧片３における前記連結部３ｄの仮止
め力に抗し且つ該連結部３ｄを破断して外周縁部３ｂを把持して矢印Ａ方向に回動させ、
その回動過程で前記周縁部３ｂの両隅部３ｃを前記指先案内凹部７ａ寄りで且つ前記開口
部８ａ近傍の前記左右の天板部７に透設した両スロット部６中に一時的に変形しながら圧
入して該両スロット部６に係止させる。
【００１３】
前記ボタン押圧片３は、前記折り曲げ部３ａを中心に前記指先案内凹部７ａの方向に回
動されて反転したその上面によって前記エアゾールボタン４の前記傾斜上面を前記上昇限
から前記下降限に押し下げながら前記両隅部３ｃが前記両スロット部６中に一時的に変形
して圧入され、該両スロット部６に係止される略瞬間的な回動過程で前記エアゾールボタ
ン４の押し下げ及び下降限での固定を可能にし、その結果、前記残留ガス成分を前記ステ
ムを経て前記噴霧孔から前記噴霧ガス案内凹部近傍の外気に略ワンタッチで排出させるこ
とを可能にする。
【図面の簡単な説明】
【００１４】
【図１】本発明に係る本発明に係るエアゾール容器用残留ガス抜き装置の非噴霧状態を示す斜視図である。
【図２】図１の噴霧孔から噴霧ガス案内凹部近傍が含まれる正面図である。
【図３】図１の側面を示す縦断面図である。
【図４】図１の平面図である。
【図５】本発明に係るエアゾール容器用残留ガス抜き装置の残留ガス成分排出作動状態を示す側面の縦断面図である。
【図６】図５の平面図である。
【符号の説明】
【００１５】
１    エアゾール容器用残留ガス抜き装置
２    エアゾールキャップ
３    ボタン押圧片
３ａ  折り曲げ部
３ｂ  外周縁部
３ｃ  隅部
３ｄ  連結部
４    エアゾールボタン
４ａ  噴霧孔
４ｂ  ガス流路４ｂ
５    噴霧ガス案内凹部
６    スロット部
７    天板部
７ａ  指先案内凹部
８    昇降案内周壁部
８ａ  開口部
９    エアゾール容器
９ａ  肩部
１０  ステム
Ｃ    軸線
【図１】
2005306451.tif 000003
【図２】
2005306451.tif 000004
【図３】
2005306451.tif 000005
【図４】
2005306451.tif 000006
【図５】
2005306451.tif 000007
【図６】
2005306451.tif 000008